(57)【要約】【課題】回線冗長構成において、特定の変調部に障害が発生しているか否かを判定する。【解決手段】複数の通信機１１０は、それぞれ信号を変調する変調部１１１と、変調された信号を復調する復調部１１２とを備える。選択部１７０は、複数の変調部１１１の１つを現用系として選択する。障害判定部１８０は、選択部１７０によって選択されなかった変調部１１１が変調した信号を、当該変調部１１１と同じ通信機１１０に備えられる復調部１１２にループバックさせ、当該復調部１１２による復調の結果に基づいて、当該変調部１１１に障害が発生しているか否かを判定する。【選択図】図１
2015091099.tif 000002
【特許請求の範囲】
【請求項１】
信号を変調する変調部と、変調された信号を復調する復調部とを備える複数の通信機を備える通信装置の制御装置であって、
前記通信装置の予備系の前記変調部が変調した信号を、当該変調部と同じ前記通信機に備えられる前記復調部にループバックさせ、当該復調部による復調の結果に基づいて、当該変調部に障害が発生しているか否かを判定する障害判定部
を備える制御装置。
【請求項２】
信号を変調する変調部と、変調された信号を復調する復調部とを備える複数の通信機と、
前記複数の変調部の１つを現用系として選択する変調選択部と、
前記変調選択部によって選択されなかった前記変調部が変調した信号を、当該変調部と同じ前記通信機に備えられる前記復調部にループバックさせ、当該復調部による復調の結果に基づいて、当該変調部に障害が発生しているか否かを判定する障害判定部と
を備える通信装置。
【請求項３】
前記複数の復調部の１つを現用系として選択する復調選択部を備え、
前記復調選択部は、前記変調選択部が選択した前記変調部と同じ前記通信機に備えられる前記復調部を現用系として選択する
請求項２に記載の通信装置。
【請求項４】
対向装置から、通信障害の発生の通知を受け付ける障害監視部を備え、
前記変調選択部は、前記障害監視部が通信障害の発生の通知を受け付けたときに現用系であった前記変調部以外の前記変調部の１つを現用系として選択し、
前記障害判定部は、前記障害監視部が通信障害の発生の通知を受け付けたときに現用系であった前記変調部が変調した信号を、当該変調部と同じ前記通信機に備えられる前記復調部にループバックさせ、当該復調部による復調の結果に基づいて、当該変調部に障害が発生しているか否かを判定する
請求項２または請求項３に記載の通信装置。
【請求項５】
前記変調選択部によって現用系として選択される候補となる前記変調部の識別情報を記憶する候補記憶部と、
前記障害判定部が障害が発生していると判定した前記変調部を、現用系として選択される候補としないよう、前記候補記憶部が記憶する情報を更新する候補更新部と、
を備え、
前記変調選択部は、前記候補記憶部が記憶する情報に基づいて、現用系として選択される候補となる前記変調部の１つを現用系として選択する
請求項２から請求項４の何れか１項に記載の通信装置。
【請求項６】
前記障害判定部は、
前記変調選択部によって選択されなかった前記変調部が変調した信号をローカルループバックさせることで、当該変調部に障害が発生しているか否かを判定し、
前記変調選択部によって選択されなかった前記変調部が変調した信号をリモートループバックさせることで、通信経路または対向装置に障害が発生しているか否かを判定する
請求項２から請求項５の何れか１項に記載の通信装置。
【請求項７】
信号を変調する変調部と、変調された信号を復調する復調部とを備える複数の通信機を備える通信装置の障害判定方法であって、
前記通信装置が、前記複数の変調部の１つを現用系として選択するステップと、
前記通信装置が、現用系として選択されなかった前記変調部が変調した信号を、当該変調部と同じ送信部に備えられる前記復調部にループバックさせ、当該復調部による復調の結果に基づいて、当該変調部に障害が発生しているか否かを判定するステップと
を有する障害判定方法。
【請求項８】
信号を変調する変調部と、変調された信号を復調する復調部とを備える複数の通信機を備える通信装置のコンピュータを、
前記複数の変調部の１つを現用系として選択する変調選択部、
前記変調選択部によって選択されなかった前記変調部が変調した信号を、当該変調部と同じ前記通信機に備えられる前記復調部にループバックさせ、当該復調部による復調の結果に基づいて、当該変調部に障害が発生しているか否かを判定する障害判定部
として機能させるためのプログラム。
【発明の詳細な説明】
【技術分野】
【０００１】
本発明は、通信装置の制御装置、通信装置、障害判定方法及びプログラムに関する。
【背景技術】
【０００２】
マイクロ波を伝送する伝送装置において、無線回線の回線障害による主信号への影響を回避するために、無線回線を冗長にする方式が提案されている（例えば、特許文献１を参照）。伝送装置は、対向する伝送装置から受信した信号を正常に受信することができない場合に、回線障害が発生していると判断し、対向する伝送装置に対し、障害の通知を行う。これにより、障害の通知を受けた伝送装置は、送信系を切り替える。
【０００３】
しかしながら、送信系を切り替えることで障害が回復した場合、対向する伝送装置への障害の通知が継続しないため、オペレータが伝送装置の障害に気づかない可能性がある。この場合、再度障害により切り替えが生じたときに、既に障害が発生している系が選択され、伝送装置が障害から復旧しない可能性がある。
【０００４】
特許文献１には、送信回路と受信回路を含む２組の送受信機を備えた無線通信装置において、一方の送受信機が送信した信号を他方の送受信機で受信することで、一方の送受信機の動作状態を他方の送受信機が診断する技術が開示されている。
【先行技術文献】
【特許文献】
【０００５】
【特許文献１】特開２００３−１１５８０５号公報
【発明の概要】
【発明が解決しようとする課題】
【０００６】
しかしながら、特許文献１に開示された技術によると、一方の送受信機が送信した信号を他方の送受信機で正常に受信できない場合に、２組の送受信機の何れか一方に障害が発生していることを判定することができる。他方、特許文献１に開示された技術では、２組の送受信機の何れに障害が発生しているのかを判定することができない。つまり、一方の送受信機の送信部に障害が発生しているのか、他方の送受信機の受信部に障害が発生しているのかを判断することができない。
本発明の目的は、上述した課題を解決する制御装置、通信装置、障害判定方法及びプログラムを提供することにある。
【課題を解決するための手段】
【０００７】
第１の態様は、信号を変調する複数の変調部と、変調された信号を復調する複数の復調部とを備える複数の通信機を備える通信装置の制御装置であって、前記通信装置の予備系の前記変調部が変調した信号を、当該変調部と同じ前記通信機に備えられる前記復調部にループバックさせ、当該復調部による復調の結果に基づいて、当該変調部に障害が発生しているか否かを判定する障害判定部を備える制御装置である。
【０００８】
また、第２の態様は、信号を変調する複数の変調部と、変調された信号を復調する複数の復調部とを備える複数の通信機と、前記複数の変調部の１つを現用系として選択する変調選択部と、前記変調選択部によって選択されなかった前記変調部が変調した信号を、当該変調部と同じ前記通信機に備えられる前記復調部にループバックさせ、当該復調部による復調の結果に基づいて、当該変調部に障害が発生しているか否かを判定する障害判定部とを備える通信装置である。
【０００９】
また、第３の態様は、信号を変調する複数の変調部と、変調された信号を復調する複数の復調部とを備える複数の通信機を備える通信装置の障害判定方法であって、前記通信装置が、前記複数の変調部の１つを現用系として選択するステップと、前記通信装置が、現用系として選択されなかった前記変調部が変調した信号を、当該変調部と同じ送信部に備えられる前記復調部にループバックさせ、当該復調部による復調の結果に基づいて、当該変調部に障害が発生しているか否かを判定するステップとを有する障害判定方法である。
【００１０】
また、第４の態様は、信号を変調する複数の変調部と、変調された信号を復調する複数の復調部とを備える複数の通信機を備える通信装置のコンピュータを、前記複数の変調部の１つを現用系として選択する変調選択部、前記変調選択部によって選択されなかった前記変調部が変調した信号を、当該変調部と同じ前記通信機に備えられる前記復調部にループバックさせ、当該復調部による復調の結果に基づいて、当該変調部に障害が発生しているか否かを判定する障害判定部として機能させるためのプログラムである。
【発明の効果】
【００１１】
上記態様のうち少なくとも１つの態様によれば、複数の通信機の特定の変調部に障害が発生しているか否かを判定することができる。
【図面の簡単な説明】
【００１２】
【図１】第１の実施形態に係る無線伝送装置の構成を示す概略ブロック図である。
【図２】第１の実施形態に係る無線伝送装置による障害判定方法を示すフローチャートである。
【図３】第２の実施形態に係る無線伝送装置の構成を示す概略ブロック図である。
【図４】第２の実施形態に係る無線伝送装置による障害判定方法を示すフローチャートである。
【図５】第２の実施形態に係る無線伝送装置による障害判定方法を示すフローチャートである。
【図６】通信装置の基本構成を示す概略ブロック図である。
【図７】少なくとも１つの実施形態に係るコンピュータの構成を示す概略ブロック図である。
【発明を実施するための形態】
【００１３】
《第１の実施形態》
以下、図面を参照しながら実施形態について詳しく説明する。
図１は、第１の実施形態に係る無線伝送装置１００の構成を示す概略ブロック図である。
無線伝送装置１００は、２つの通信機１１０、変調切替部１２０、復調切替部１３０、信号処理部１４０、障害監視部１５０、候補記憶部１６０、選択部１７０、障害判定部１８０、候補更新部１９０を備える。無線伝送装置１００は、対向する他の無線伝送装置１００（以下、対向装置という）と無線信号の送受信を行う。本実施形態において無線伝送装置１００は、通信装置の一例である。なお、本実施形態における信号処理部１４０、障害監視部１５０、候補記憶部１６０、選択部１７０、障害判定部１８０、候補更新部１９０は、無線伝送装置１００の制御装置を構成する。
【００１４】
通信機１１０は、信号を変調する変調部１１１と、変調された信号を復調する復調部１１２と、対向装置との電波の授受を行うアンテナ１１３とを備える。
変調切替部１２０は、信号処理部１４０が処理した信号を変調させる通信機１１０を切り替える。
復調切替部１３０は、対向する無線伝送装置１００から受信した信号を復調させる通信機１１０を切り替える。
【００１５】
信号処理部１４０は、送信する信号及び受信した信号を処理する。
障害監視部１５０は、２つの復調部１１２の両方において、対向装置から正常に信号を受信できない場合に、対向装置に対し、通信障害の発生の通知を発する。また、障害監視部１５０は、対向装置から通信障害の発生の通知を受け付ける。
候補記憶部１６０は、現用系への切り替えの候補となる変調部１１１の識別情報と、現用系への切り替えの候補となる復調部１１２の識別情報とを記憶する。
選択部１７０は、候補記憶部１６０が記憶する識別情報が示す変調部１１１及び復調部１１２を、現用系として選択する。本実施形態において、選択部１７０は、変調選択部及び復調選択部の一例である。
障害判定部１８０は、変調部１１１に障害が発生しているか否かを判定する。
候補更新部１９０は、障害判定部１８０の判定結果に基づいて候補記憶部１６０が記憶する情報を更新する。
【００１６】
第１の実施形態に係る無線伝送装置１００が信号を送信する動作について説明する。
予め、無線伝送装置１００の選択部１７０は、２つの変調部１１１の何れを現用系とするかを選択する。選択部１７０が選択しなかった変調部１１１は、予備系となる。変調切替部１２０は、選択部１７０が選択した変調部１１１と信号処理部１４０とを接続する。これにより、信号処理部１４０が生成した信号は、変調切替部１２０により、選択部１７０が選択した変調部１１１へ出力される。そして、変調部１１１は信号処理部１４０から入力された信号を変調し、アンテナ１１３を介して対向装置へ送信する。
【００１７】
第１の実施形態に係る無線伝送装置１００が信号を受信する動作について説明する。
２つの復調部１１２は、それぞれ対向装置から受信した信号を復調する。選択部１７０は、２つの復調部１１２の復調結果を比較し、回線品質の良い復調部１１２を現用系として選択する。選択部１７０が選択しなかった復調部１１２は、予備系となる。復調切替部１３０は、選択部１７０が選択した復調部１１２と信号処理部１４０とを接続する。これにより、選択部１７０が選択した復調部１１２が復調した信号は、復調切替部１３０により、信号処理部１４０へ出力される。そして、信号処理部１４０は、復調部１１２から入力された信号を処理する。
他方、２つの復調部１１２の復調結果がいずれも所定の品質を満たしていない場合、障害監視部１５０は、対向装置に対し、回線障害の発生を通知する。この後、２つの復調部１１２のいずれかの復調結果が所定の品質を満たすようになると、障害監視部１５０は、対向装置に対し、回線障害の復旧を通知する。
【００１８】
第１の実施形態に係る無線伝送装置１００が変調部１１１の障害の有無を判定する動作について説明する。
図２は、第１の実施形態に係る無線伝送装置１００による障害判定方法を示すフローチャートである。
まず、無線伝送装置１００の障害監視部１５０は、対向装置から回線障害の通知を受信したか否かを判定する（ステップＳ１）。障害監視部１５０は、対向装置から回線障害の通知を受信していないと判定した場合（ステップＳ１：ＮＯ）、変調部１１１の障害の有無の判定を行わずに処理を終了する。
【００１９】
他方、障害監視部１５０が、対向装置から回線障害の通知を受信したと判定した場合（ステップＳ１：ＹＥＳ）、選択部１７０は、候補記憶部１６０が記憶する現用系の変調部１１１の候補のうち、現在の現用系の変調部１１１（以下、判定対象の変調部１１１という）でないものを選択する（ステップＳ２）。変調切替部１２０は、選択部１７０が選択した変調部１１１と信号処理部１４０を接続する。現用系の変調部１１１を変更したことで対向装置において正常に信号を受信することができれば、対向装置は回線障害の復旧の通知を送信する。
【００２０】
障害監視部１５０は、対向装置から回線障害の復旧の通知を受信したか否かを判定する（ステップＳ３）。障害監視部１５０が復旧の通知を受信した場合（ステップＳ３：ＹＥＳ）、候補更新部１９０は、候補記憶部１６０から判定対象の変調部１１１の識別情報を削除する（ステップＳ４）。次に、選択部１７０は、候補記憶部１６０が記憶する現用系の変調部１１１の候補のうち、判定対象の変調部１１１と異なる通信機１１０に備えられたものを選択する（ステップＳ５）。復調切替部１３０は、選択部１７０が選択した復調部１１２と信号処理部１４０を接続する。
【００２１】
次に、障害判定部１８０は、判定対象の変調部１１１から、ステップＳ５で切り替えられる前の現用系の復調部１１２（以下、判定対象の復調部１１２という）へ、ローカルループバックを行う（ステップＳ６）。ローカルループバックとは、無線伝送装置１００の内部で行われる信号の折り返し処理である。そのため、信号は無線伝送装置１００から対向装置に対して送信されない。
【００２２】
次に、障害判定部１８０は、ローカルループバックによって判定対象の復調部１１２において障害が検知されたか否かを判定する（ステップＳ７）。障害判定部１８０は、判定対象の復調部１１２において障害が検知されたと判定した場合（ステップＳ７：ＹＥＳ）、判定対象の変調部１１１に障害が発生していると判定し（ステップＳ８）、オペレータへ警報を発し、処理を終了する。
【００２３】
他方、障害判定部１８０は、ローカルループバックによって判定対象の復調部１１２において障害が検知されなかったと判定した場合（ステップＳ７：ＮＯ）、また、ステップＳ３において障害監視部１５０が回線障害の復旧の通知を受信しなかったと判定した場合（ステップＳ３：ＮＯ）、判定対象の変調部１１１以外で障害が発生していると判定する（ステップＳ９）。この場合、障害監視部１５０は、判定対象の変調部１１１と復調部１１２との間のローカルループバック制御を解除する（ステップＳ１０）。また、候補更新部１９０は、判定対象の変調部１１１の識別情報を候補記憶部１６０に記録し（ステップＳ１１）、処理を終了する。このとき、障害監視部１５０は、オペレータへ判定対象の復調部１１２の障害の判定結果を通知しても良い。
【００２４】
このように、本実施形態によれば、無線伝送装置１００は、障害の原因が変調部１１１にあるか否かを判定することができる。つまり、本実施形態によれば、無線伝送装置１００は、自装置において障害が発生した箇所を特定することができる。
【００２５】
また、本実施形態によれば、無線伝送装置１００は、オペレータに対し、機器交換の必要性を通知することができる。これにより、長期的な冗長構成の維持が可能になる。また、交換箇所は予備系となっているため、主信号へ影響を与えることなく冗長構成を維持することができる。
【００２６】
なお、本実施形態では、障害監視部１５０が回線障害の発生の通知を受けたときに、変調部１１１の障害の判定を行う場合について説明したが、これに限られない。例えば、障害監視部１５０は、予備系の変調部１１１について定期的に障害の判定を行っても良い。これにより、予備系の変調部１１１において障害が発生しているか否かを定期的に判定し、障害発生時に正常に回線障害を復旧することができる状態を保つことができる。
【００２７】
《第２の実施形態》
第２の実施形態について説明する。
図３は、第２の実施形態に係る無線伝送装置２００の構成を示す概略ブロック図である。
第２の実施形態に係る無線伝送装置２００は、第１の実施形態と、障害判定部２８０の動作が異なる。なお、第２の実施形態の構成のうち、第１の実施形態と同じ構成であるものについては、第１の実施形態と同じ符号を用いて説明する。
【００２８】
第１の実施形態に係る障害判定部１８０は、変調部１１１が変調した信号をローカルループバックさせることで、当該変調部１１１に障害が発生しているか否かを判定するものである。第２の実施形態に係る障害判定部２８０は、変調部１１１が変調した信号のローカルループバックに加え、当該信号をリモートループバックさせることで、さらに通信経路または対向装置に障害が発生しているか否かを判定する。リモートループバックとは、対向装置との間で行われる信号の折り返し処理である。そのため、信号は無線伝送装置２００から対向装置に送信され、対向装置から無線伝送装置２００に折り返される。
【００２９】
第２の実施形態に係る無線伝送装置２００が変調部１１１の障害の有無を判定する動作について説明する。
図４、図５は、第２の実施形態に係る無線伝送装置２００による障害判定方法を示すフローチャートである。第１の実施形態と同じ動作を行うステップについては、同じ符号を用いて説明する。
まず、無線伝送装置２００の障害監視部１５０は、対向装置から回線障害の通知を受信したか否かを判定する（ステップＳ１）。障害監視部１５０は、対向装置から回線障害の通知を受信していないと判定した場合（ステップＳ１：ＮＯ）、変調部１１１の障害の有無の判定を行わずに処理を終了する。
【００３０】
他方、障害監視部１５０が、対向装置から回線障害の通知を受信したと判定した場合（ステップＳ１：ＹＥＳ）、選択部１７０は、候補記憶部１６０が記憶する現用系の変調部１１１の候補のうち、判定対象の変調部１１１でないものを選択する（ステップＳ２）。変調切替部１２０は、選択部１７０が選択した変調部１１１と信号処理部１４０を接続する。現用系の変調部１１１を変更したことで対向装置において正常に信号を受信することができれば、対向装置は回線障害の復旧の通知を送信する。
【００３１】
障害監視部１５０は、対向装置から回線障害の復旧の通知を受信したか否かを判定する（ステップＳ３）。障害監視部１５０が回線障害の復旧の通知を受信しなかったと判定した場合（ステップＳ３：ＮＯ）、原因不明の障害であると判定する（ステップＳ１０９）。この場合、障害監視部１５０は、判定対象の変調部１１１と復調部１１２との間のローカルループバック制御を解除する（ステップＳ１０）。また、候補更新部１９０は、判定対象の変調部１１１の識別情報を候補記憶部１６０に記録し（ステップＳ１１）、処理を終了する。
【００３２】
他方、障害監視部１５０が復旧の通知を受信した場合（ステップＳ３：ＹＥＳ）、候補更新部１９０は、候補記憶部１６０から判定対象の変調部１１１の識別情報を削除する（ステップＳ４）。次に、選択部１７０は、候補記憶部１６０が記憶する現用系の変調部１１１の候補のうち、判定対象の変調部１１１と異なる通信機１１０に備えられたものを選択する（ステップＳ５）。復調切替部１３０は、選択部１７０が選択した復調部１１２と信号処理部１４０を接続する。
【００３３】
次に、障害判定部２８０は、判定対象の変調部１１１から判定対象の復調部１１２へローカルループバックを行う（ステップＳ６）。次に、障害判定部２８０は、ローカルループバックによって判定対象の復調部１１２において障害が検知されたか否かを判定する（ステップＳ７）。障害判定部２８０は、判定対象の復調部１１２において障害が検知されたと判定した場合（ステップＳ７：ＹＥＳ）、判定対象の変調部１１１に障害が発生していると判定し（ステップＳ８）、オペレータへ警報を発し、処理を終了する。
【００３４】
他方、障害判定部２８０は、ローカルループバックによって障害が検知されなかったと判定した場合（ステップＳ７：ＮＯ）、判定対象の変調部１１１と復調部１１２との間のローカルループバック制御を解除する（ステップＳ１１２）。次に、障害判定部２８０は、主信号を伝送するための周波数帯と異なる周波数帯（以下、障害判定用周波数帯という）を用いて、対向装置の復調部１１２までのリモートループバックを行う（ステップＳ１１３）。つまり、対向装置は、受信した信号を復調せずに無線伝送装置２００に返送する。次に、障害判定部２８０は、復調部１１２までのリモートループバックによって判定対象の復調部１１２において障害が検知されたか否かを判定する（ステップＳ１１４）。障害判定部２８０は、判定対象の復調部１１２において障害が検知されたと判定した場合（ステップＳ１１４：ＹＥＳ）、伝送路に障害が発生していると判定する（ステップＳ１１５）。
【００３５】
他方、障害判定部２８０は、復調部１１２までのリモートループバックによって障害が検知されなかったと判定した場合（ステップＳ１１４：ＮＯ）、障害判定用周波数帯を用いて、対向装置の変調部１１１までのリモートループバックを行う（ステップＳ１１６）。つまり、対向装置は、受信した信号を復調して無線伝送装置２００に返送する。次に、障害判定部２８０は、変調部１１１までのリモートループバックによって判定対象の復調部１１２において障害が検知されたか否かを判定する（ステップＳ１１７）。障害判定部２８０は、判定対象の復調部１１２において障害が検知されたと判定した場合（ステップＳ１１７：ＹＥＳ）、対向装置の復調部１１２に障害が発生していると判定する（ステップＳ１１８）。
他方、障害判定部２８０は、ローカルループバックによってもリモートループバックによっても障害が検知されなかったと判定した場合（ステップＳ１１７：ＮＯ）、原因不明の障害であると判定する（ステップＳ１１９）。
【００３６】
そして、障害監視部１５０が、ステップＳ１１５、Ｓ１１８、Ｓ１１９において、障害の原因を判定すると、候補更新部１９０は、判定対象の変調部１１１の識別情報を候補記憶部１６０に記録し（ステップＳ１２０）、処理を終了する。
【００３７】
このように、本実施形態によれば、無線伝送装置２００は、ループバックで折り返す箇所を変えていくことで、障害の被疑範囲を絞り込むことができる。つまり、本実施形態によれば、無線伝送装置２００は、自装置及び対向装置において障害が発生した箇所を特定することができる。
【００３８】
以上、図面を参照して一実施形態について詳しく説明してきたが、具体的な構成は上述のものに限られることはなく、様々な設計変更等をすることが可能である。例えば、上述した実施形態では、通信機１１０を２つ備える場合について説明したが、これに限られず、例えば３つ以上の通信機１１０を備えていても良い。この場合、複数の通信機１１０の１つが現用系となり、残りの通信機１１０が予備系となる。
【００３９】
《基本構成》
図６は、通信装置の基本構成を示す概略ブロック図である。
上述した実施形態では、通信装置の一実施形態として図１、図３に示す無線伝送装置２００の構成について説明したが、通信装置の基本構成は、図６に示すとおりである。
すなわち、通信装置は、複数の通信機１１０と、選択部１７０（変調選択部）と、障害判定部２８０とを基本構成とする。
複数の通信機１１０は、それぞれ信号を変調する変調部１１１と、変調された信号を復調する復調部１１２とを備える。
選択部１７０は、複数の変調部１１１の１つを現用系として選択する。
障害判定部２８０は、選択部１７０によって選択されなかった変調部１１１が変調した信号を、当該変調部１１１と同じ通信機１１０に備えられる復調部１１２にループバックさせ、当該復調部１１２による復調の結果に基づいて、当該変調部１１１に障害が発生しているか否かを判定する。
【００４０】
これにより、通信装置は、複数の通信機１１０の特定の変調部１１１に障害が発生しているか否かを判定することができる。
【００４１】
図７は、少なくとも１つの実施形態に係るコンピュータ９００の構成を示す概略ブロック図である。
コンピュータ９００は、ＣＰＵ９０１、主記憶装置９０２、補助記憶装置９０３、インタフェース９０４を備える。
上述の通信装置（無線伝送装置１００、２００を含む）は、コンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、候補記憶部１６０に対応する記憶領域を主記憶装置９０２に確保する。
【００４２】
なお、少なくとも１つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００４３】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【符号の説明】
【００４４】
１００…無線伝送装置  １１０…通信機  １１１…変調部  １１２…復調部  １１３…アンテナ  １２０…変調切替部  １３０…復調切替部  １４０…信号処理部  １５０…障害監視部  １６０…候補記憶部  １７０…選択部  １８０…障害判定部  １９０…候補更新部  ９００…コンピュータ  ９０１…ＣＰＵ  ９０２…主記憶装置  ９０３…補助記憶装置  ９０４…インタフェース
【図１】
2015091099.tif 000003
【図２】
2015091099.tif 000004
【図３】
2015091099.tif 000005
【図４】
2015091099.tif 000006
【図５】
2015091099.tif 000007
【図６】
2015091099.tif 000008
【図７】
2015091099.tif 000009